(57)【要約】【課題】複数の付箋紙の貼付状態に関わらず、複数の付箋紙が貼られた貼付面を撮影した画像情報から各付箋紙の画像情報を抽出する画像処理装置及び画像処理プログラムを提供する。【解決手段】画像処理装置１は、複数の付箋紙が貼られた貼付面を撮影した画像情報１１１から、付箋紙に用いられる色の画素の抽出を行う色抽出手段１０２と、色抽出手段１０２によって抽出された画素の集合である領域を切り出す矩形切出手段１０４と、補助線の入力を受け付ける補助線入力受付手段１０６と、矩形切出手段１０４が切り出した領域を補助線入力受付手段１０６が受け付けた補助線で分割し、当該分割後の領域のうち予め定めた範囲の面積を有する領域を画像情報１１１から付箋画像情報１１３として切り出す付箋画像切出手段１０７とを有する。【選択図】図１
2015075926.tif 000002
【特許請求の範囲】
【請求項１】
複数の付箋紙を含む画像情報から、前記付箋紙に用いられる色の画素の抽出を行う色抽出手段と、
前記色抽出手段によって抽出された画素の集合である領域を切り出す領域切出手段と、
前記領域切出手段が切り出す領域に対し、補助線の入力を受け付ける受付手段と、
前記領域切出手段が切り出した領域を前記受付手段が受け付けた補助線で分割し、当該分割後の領域のうち予め定めた範囲の面積を有する領域を前記画像情報から付箋画像として切り出す付箋画像切出手段とを有する画像処理装置。
【請求項２】
前記付箋画像切出手段は、予め定められた最大値及び最小値により前記予め定めた範囲を定義する請求項１に記載の画像処理装置。
【請求項３】
前記付箋画像切出手段は、前記分割後の領域分布の中心値に基づいて最大値及び最小値を定め、当該最大値及び当該最小値により前記予め定めた範囲を定義する請求項１に記載の画像処理装置。
【請求項４】
コンピュータを、
複数の付箋紙を含む画像情報から、前記付箋紙に用いられる色の画素の抽出を行う色抽出手段と、
前記色抽出手段によって抽出された画素の集合である領域を切り出す領域切出手段と、
前記領域切出手段が切り出す領域に対し、補助線の入力を受け付ける受付手段と、
前記領域切出手段が切り出した領域を前記受付手段が受け付けた補助線で分割し、当該分割後の領域のうち予め定めた範囲の面積を有する領域を前記画像情報から付箋画像として切り出す付箋画像切出手段として機能させるための画像処理プログラム。
【発明の詳細な説明】
【技術分野】
【０００１】
本発明は、画像処理装置及び画像処理プログラムに関する。
【背景技術】
【０００２】
従来の技術として、ディスプレイ上に貼られた付箋紙を電子化する画像処理装置が提案されている（例えば、特許文献１参照）。
【０００３】
特許文献１に開示された画像処理装置は、電子文書が表示されているディスプレイ上に貼られた付箋紙をカメラで撮像し、得られた画像情報を解析して画像情報のうち付箋紙に該当する部分を付箋紙画像情報として抽出するとともに、当該付箋紙画像情報を電子文書と関連付ける。また、画像処理装置は、予め定めた形状の付箋紙及び予め定めた形状のディスプレイを用いることにより、画像情報から付箋紙画像情報を抽出する。
【先行技術文献】
【特許文献】
【０００４】
【特許文献１】特開２００１−１４３０３号公報
【発明の概要】
【発明が解決しようとする課題】
【０００５】
本発明の目的は、複数の付箋紙の貼付状態に関わらず、複数の付箋紙が貼られた貼付面を撮影した画像情報から各付箋紙の画像情報を抽出する画像処理装置及び画像処理プログラムを提供することにある。
【課題を解決するための手段】
【０００６】
本発明の一態様は、上記目的を達成するため、以下の画像処理装置及び画像処理プログラムを提供する。
【０００７】
［１］複数の付箋紙を含む画像情報から、前記付箋紙に用いられる色の画素の抽出を行う色抽出手段と、
前記色抽出手段によって抽出された画素の集合である領域を切り出す領域切出手段と、
前記領域切出手段が切り出す領域に対し、補助線の入力を受け付ける受付手段と、
前記領域切出手段が切り出した領域を前記受付手段が受け付けた補助線で分割し、当該分割後の領域のうち予め定めた範囲の面積を有する領域を前記画像情報から付箋画像として切り出す付箋画像切出手段とを有する画像処理装置。
【０００８】
［２］前記付箋画像切出手段は、予め定められた最大値及び最小値により前記予め定めた範囲を定義する前記[１]に記載の画像処理装置。
【０００９】
［３］前記付箋画像切出手段は、前記分割後の領域分布の中心値に基づいて最大値及び最小値を定め、当該最大値及び当該最小値により前記予め定めた範囲を定義する前記[１]に記載の画像処理装置。
【００１０】
［４］コンピュータを、
複数の付箋紙を含む画像情報から、前記付箋紙に用いられる色の画素の抽出を行う色抽出手段と、
前記色抽出手段によって抽出された画素の集合である領域を切り出す領域切出手段と、
前記領域切出手段が切り出す領域に対し、補助線の入力を受け付ける受付手段と、
前記領域切出手段が切り出した領域を前記受付手段が受け付けた補助線で分割し、当該分割後の領域のうち予め定めた範囲の面積を有する領域を前記画像情報から付箋画像として切り出す付箋画像切出手段として機能させるための画像処理プログラム。
【発明の効果】
【００１１】
請求項１又は４に係る発明によれば、複数の付箋紙の貼付状態に関わらず、複数の付箋紙が貼られた貼付面を撮影した画像情報から各付箋紙の画像情報を抽出することができる。
【００１２】
請求項２に係る発明によれば、予め定められた最大値及び最小値により予め定めた範囲を定義することができる。
【００１３】
請求項３に係る発明によれば、分割後の領域分布の中心値に基づいて最大値及び最小値を定め、当該最大値及び当該最小値により予め定めた範囲を定義することができる。
【図面の簡単な説明】
【００１４】
【図１】図１は、実施の形態に係る画像処理装置の構成の一例を示す概略図である。
【図２】図２は、画像処理装置の基本動作を説明するための概略図である。
【図３】図３（ａ）−（ｅ）は、画像処理装置の閾値決定動作を説明するための概略図である。
【図４】図４（ａ）−（ｄ）は、画像処理装置の動作を説明するための概略図である。
【図５】図５（ａ）及び（ｂ）は、補助線入力受付手段によって表示部に表示される画面の構成の一例を示す概略図である。
【図６】図６（ａ）及び（ｂ）は、付箋切出動作を説明するための概略図である。
【図７】図７（ａ）−（ｊ）は、補助線の入力と付箋切出動作の他の例を説明するための概略図である。
【図８】図８は、画像処理装置の動作例を示すフローチャートである。
【発明を実施するための形態】
【００１５】
［実施の形態］
（画像処理装置の構成）
図１は、実施の形態に係る画像処理装置の構成の一例を示す概略図である。
【００１６】
画像処理装置１は、一例として、携帯電話やタブレット型ＰＣ（Ｐｅｒｓｏｎａｌ  Ｃｏｍｐｕｔｅｒ）等の画像処理装置であって、ＣＰＵ（Ｃｅｎｔｒａｌ  Ｐｒｏｃｅｓｓｉｎｇ  Ｕｎｉｔ）等から構成され、各部を制御するとともに、各種のプログラムを実行する制御部１０と、フラッシュメモリ等の記憶媒体から構成され情報を記憶する記憶部１１と、文字や画像等を表示する表示部１２と、表示部１２に重ねて設けられる透明なタッチセンサであって画像処理装置１を操作するための操作部１３と、ネットワークを介して外部と通信する通信部１４と、レンズ及びＣＣＤ等から構成され撮像することで画像情報を生成する撮像部１５等を備える。
【００１７】
制御部１０は、後述する画像処理プログラム１１０を実行することで、画像情報取得手段１００、色空間変換手段１０１、色抽出手段１０２、２値化手段１０３、矩形切出手段１０４、閾値決定手段１０５、補助線入力受付手段１０６及び付箋画像切出手段１０７等として機能する。
【００１８】
画像情報取得手段１００は、複数の付箋紙が貼られた貼付面を撮影した画像情報１１１を記憶部１１から取得する。なお、画像情報１１１は、撮像部１５により撮影されたものであってもよいし、通信部１４を介して外部から取得したものであってもよい。
【００１９】
色空間変換手段１０１は、画像情報１１１の色空間が、一例として、ＲＧＢだった場合に、ＨＳＶへと変換する。なお、色空間はＨＳＶに限らず、以下に説明する色抽出が良好に行えるものであれば他の色空間に変換してもよいし、変換せずにＲＧＢとしてもよい。
【００２０】
色抽出手段１０２は、色変換された画像情報１１１から予め定められた色（ピンク、黄色、水色）のそれぞれについて、閾値を満足する画素を抽出する。なお、閾値は、閾値情報１１２に予め複数設定され、複数の閾値のそれぞれについて画素を抽出する。
【００２１】
２値化手段１０３は、予め定められた色（ピンク、黄色、水色）のそれぞれについて、色抽出手段１０２が抽出した画素を「１」（白）とし、それ以外を「０」（黒）とすることで２値化する。
【００２２】
矩形切出手段１０４は、領域切出手段の一例であり、予め定められた色（ピンク、黄色、水色）のそれぞれについて、２値化手段１０３により「１」（白）とされた画素の集合である領域を、形状の一例として矩形の領域に切り出す。なお、矩形の領域に限らず、多角形の領域や曲線で構成された領域、任意の閉じた領域に切り出してもよい。また、付箋２ａ、２ｂ、２ｃ…の形状を予め登録しておき、当該登録された形状の領域に切り出してもよい。
【００２３】
閾値決定手段１０５は、予め定められた色（ピンク、黄色、水色）のそれぞれについて、矩形切出手段１０４により切り出された矩形の領域の数をカウントし、矩形の領域の数が最も多い閾値を採用すべき閾値に決定する。
【００２４】
補助線入力受付手段１０６は、閾値決定手段１０５によって決定された閾値で、矩形切出手段１０４によって切り出される領域を、表示部１２を通じて利用者に提示し、当該領域を分割したい場合は分割を所望する位置に補助線を入力するよう利用者に促して、利用者の操作部１３に対する補助線を入力する操作を受け付ける。
【００２５】
付箋画像切出手段１０７は、予め定められた色（ピンク、黄色、水色）のそれぞれについて、画像情報１１１から、決定された閾値により切り出される矩形の領域の画像を付箋画像情報１１３として切り出す。なお、補助線入力受付手段１０６が補助線の入力を受け付けた場合は、当該補助線に基づいて矩形切出手段１０４によって切り出された領域を分割し、画像情報１１１から分割の結果生成された領域の画像を付箋画像情報１１３として切り出す。
【００２６】
記憶部１１は、制御部１０を上述した各手段１０１−１０７として動作させる画像処理プログラム１１０、画像情報１１１、閾値情報１１２及び付箋画像情報１１３等を記憶する。
【００２７】
なお、画像処理装置１は、画像情報１１１を外部から通信部１４を介して取得する場合は、撮像部１５を省略してもよい。さらに、画像処理装置１は、表示部１２及び操作部１３を省略し、外部の端末から通信部１４を介して要求を受信し動作するサーバ装置であってもよい。
【００２８】
（画像処理装置の動作）
次に、本実施の形態の作用を、（１）基本動作、（２）閾値決定動作、（３）補助線入力受付動作、（４）付箋切出動作に分けて説明する。
【００２９】
（１）基本動作
図２は、画像処理装置１の基本動作を説明するための概略図である。
【００３０】
図２に示すように、まず、利用者４は、例えばブレインストーミングのため、付箋２ａ、２ｂ、２ｃ…に書き込み等をし、ホワイトボード３の書き込み面を貼付面として付箋２ａ、２ｂ、２ｃ…を貼っていく。付箋２ａ、２ｂ、２ｃ…は、様々な形状が考えられるが、説明のため矩形状のものについて以下説明する。また、付箋２ａ、２ｂ、２ｃ…は、複数の大きさのものを用意してもよい。
【００３１】
次に、利用者４は、ブレインストーミングを終えると、付箋２ａ、２ｂ、２ｃ…の貼られたホワイトボード３の書き込み面を画像処理装置１の撮像部１５により撮影する。
【００３２】
画像処理装置１は、撮像部１５により撮影が実行されると、撮影した画像を画像情報１１１として記憶部１１に記憶する。
【００３３】
利用者４は、ホワイトボード３上に貼られた付箋２ａ、２ｂ、２ｃ…を後日利用するため、付箋２ａ、２ｂ、２ｃ…の電子化を画像処理装置１に要求する。つまり、画像情報１１１に撮影された付箋２ａ、２ｂ、２ｃ…の画像をそれぞれ切り出して付箋画像情報１１３とするよう要求する。
【００３４】
上記要求がなされた場合の画像処理装置１の動作について以下説明する。
【００３５】
（２）閾値決定動作
図８は、画像処理装置１の動作例を示すフローチャートである。また、図３（ａ）−（ｅ）は、画像処理装置１の閾値決定動作を説明するための概略図である。
【００３６】
まず、画像情報取得手段１００は、図３（ａ）に示すように、画像情報１１１の一例として画像情報１１１ａを記憶部１１から取得する（Ｓ１）。画像情報１１１ａは、ピンクの付箋２ｐ１、２ｐ２、２ｐ３、黄色の付箋２ｙ１、２ｙ２、２ｙ３、２ｙ４、２ｙ５、水色の付箋２ｂ１、２ｂ２、２ｂ３、２ｂ４が撮影されたものであるとする。
【００３７】
次に、色空間変換手段１０１は、画像情報１１１ａの色空間がＲＧＢだった場合に、ＨＳＶへと変換する（Ｓ２）。
【００３８】
次に、色抽出手段１０２は、色変換された画像情報１１１から予め定められた色（ピンク、黄色、水色）のそれぞれについて、閾値を満足する画素を抽出する。まず、閾値は、閾値情報１１２に予め複数設定された複数の閾値のうち、第１番目の閾値１ｐで画素を抽出する（Ｓ３）。以下、説明を簡単にするため、ピンクについて抽出する場合について述べる。
【００３９】
閾値１ｐは、図３（ｃ）に示すように、閾値が９０から１００の間に幅を持たせて設定されているものとする。なお、閾値１ｐは、ＨＳＶ空間の場合、Ｈ（色相）、Ｓ（彩度）、Ｖ（明度）のパラメータの最小値が０で最大値が２５５としたとき、Ｈ、Ｓ、Ｖのそれぞれについて幅を有するものであるが、図３（ｃ）の例では、説明を簡単にするためＨのパラメータの閾値だけ示している。
【００４０】
次に、２値化手段１０３は、図３（ｂ）に示すように、ピンクについて色抽出手段１０２が閾値１ｐに含まれるとして抽出した画素を「１」（白）とし、それ以外を「０」（黒）とすることで２値化する（Ｓ４）。
【００４１】
次に、矩形切出手段１０４は、図３（ｂ）に示すように、ピンクについて２値化手段１０３により「１」（白）とされた画素の領域を一例として矩形の領域１０４ａ１及び１０４ａ３（矩形領域１０４ａ）に切り出す（Ｓ５）。
【００４２】
次に、閾値決定手段１０５は、ピンクについて閾値１ｐで矩形切出手段１０４により切り出された矩形の領域の数を「２」とカウントする（Ｓ６）。
【００４３】
次に、色抽出手段１０２は、ピンクの閾値２ｐで画像情報１１１から画素を抽出する（Ｓ８）。閾値１ｐは、図３（ｅ）に示すように、閾値が９５から１０５の間に幅を持たせて設定されているものとする。
【００４４】
次に、２値化手段１０３は、図３（ｄ）に示すように、ピンクについて色抽出手段１０２が閾値２ｐに含まれるとして抽出した画素を「１」（白）とし、それ以外を「０」（黒）とすることで２値化する（Ｓ４）。
【００４５】
次に、矩形切出手段１０４は、図３（ｄ）に示すように、ピンクについて２値化手段１０３により「１」（白）とされた画素の領域を一例として矩形の領域１０４ｂ１‐１０４ｂ３（矩形領域１０４ｂ）に切り出す（Ｓ５）。
【００４６】
次に、閾値決定手段１０５は、ピンクについて閾値２ｐで矩形切出手段１０４により切り出された矩形の領域の数を「３」とカウントする（Ｓ６）。
【００４７】
上記したステップＳ３−Ｓ８は、２以上の複数の閾値について繰り返され、閾値決定手段１０５は、矩形数が最大となる閾値を採用する（Ｓ９）。なお、ピンクについては、矩形数が「３」であって最大である閾値２ｐが採用されたものとする。
【００４８】
上記した閾値の決定は、ピンク以外の各色（黄色、水色）についても実行されるものであり、黄色について閾値１ｙが採用され、水色について閾値３ｂが採用されたものとして、以下の動作について説明する。
【００４９】
図４（ａ）−（ｄ）は、画像処理装置１の動作を説明するための概略図である。
【００５０】
矩形切出手段１０４は、図４（ａ）−（ｃ）に示す、各色（ピンク、黄色、水色）のそれぞれについて切り出した矩形領域１０４ｂｐ、矩形領域１０４ａｙ、矩形領域１０４ｃｂを、図４（ｄ）に示すように合成して矩形領域１０４ａｐ＋ｙ＋ｂとする（Ｓ１０）。なお、この状態において水色の付箋２ｂ２と２ｂ３は隣接して貼付されていたために、それぞれの矩形に認識されず一つの矩形となっている。
【００５１】
（３）補助線入力受付動作
図５（ａ）及び（ｂ）は、補助線入力受付手段１０６によって表示部１２に表示される画面の構成の一例を示す概略図である。
【００５２】
次に、補助線入力受付手段１０６は、図５（ａ）に示すように、矩形切出手段１０４によって切り出された領域である矩形領域１０４ａｐ＋ｙ＋ｂと、画像情報１１１ａとを合成した切出候補１０６ａ３を含む切出プレビュー画面１０６ａを表示部１２に表示する（Ｓ１１）。また、切出プレビュー画面１０６ａは、さらに切り出す矩形の領域が正しいか否か確認する旨と、矩形の領域が正しくない場合に当該領域の分割を所望する位置に補助線を入力するよう利用者に促す旨のメッセージ１０６ａ１と、操作が完了した場合に操作する決定ボタン１０６ａ２とを有する。
【００５３】
なお、切出プレビュー画面１０６ａは、矩形領域１０４ａｐ＋ｙ＋ｂと、画像情報１１１ａとを合成したものを表示する態様に限らず、本実施の形態の動作の最初に画像情報１１１ａを表示して補助線の入力を受け付けてもよい。
【００５４】
次に、図５（ｂ）に示すように、利用者は、操作部１３に対して指先１０６ａ５で補助線を入力する。
【００５５】
画像処理装置１の補助線入力受付手段１０６は、補助線の入力があった場合（Ｓ１２；Ｙｅｓ）、当該操作を受け付けて、補助線１０６ａ４に該当する位置で矩形の領域を分割する（Ｓ１３）。
【００５６】
（４）付箋切出動作
図６（ａ）及び（ｂ）は、付箋切出動作を説明するための概略図である。
【００５７】
次に、付箋画像切出手段１０７は、図６（ａ）に示すように、矩形領域１０４ａｐ＋ｙ＋ｂの矩形の領域を補助線で分割して矩形領域１０７ａとし、図６（ｂ）に示すように、当該矩形領域１０７ａにより画像情報１１１ａからピンクの付箋画像情報１１３ｐ１−１１３ｐ３、黄色の付箋画像情報１１３ｙ１−１１３ｙ５、水色の付箋画像情報１１３ｂ１−１１３ｂ４として切り出す（Ｓ１４）。
【００５８】
（補助線の入力と付箋切出動作の他の例）
図７（ａ）−（ｊ）は、補助線の入力と付箋切出動作の他の例を説明するための概略図である。
【００５９】
図７（ａ）に示す例は、隙間なく並べられた２枚の付箋１０６ｃであり、矩形切出手段１０４により矩形領域１０６ｃ１として切り出されているため、図７（ｂ）に示すように利用者は２枚の付箋の１０６ｃの境目に補助線１０６ｃ２を入力する。矩形領域１０６ｃ１は、付箋画像切出手段１０７により中央で２分割される。
【００６０】
また、図７（ｃ）に示す例は、矩形の頂点が接するように並べられた２枚の付箋１０６ｄであり、矩形切出手段１０４により矩形下部に切り込みが入ったような形状の領域１０６ｄ１として切り出されているため、図７（ｄ）に示すように利用者は２枚の付箋の１０６ｄの頂点が接する部分に補助線１０６ｄ２を入力する。補助線１０６ｄ２により、領域１０６ｄ１は、図７（ｅ）に示すように、付箋画像切出手段１０７により領域１０６ｄ３と領域１０６ｄ４に分割される。なお、領域１０６ｄ３と領域１０６ｄ４は、矩形ではなく五角形であるが、付箋画像切出手段１０７は付箋の形状に限らず任意の多角形についても領域として認識するものとする。
【００６１】
また、図７（ｆ）に示す例は、縦２列、横２列で隙間なく並べられた４枚の付箋１０６ｅであり、矩形切出手段１０４により縦横のサイズが付箋に対して倍の矩形領域１０６ｅ１として切り出されているため、図７（ｇ）に示すように利用者は４枚の付箋の１０６ｅの境目に補助線１０６ｅ２及び１０６ｅ３を入力する。補助線１０６ｅ２及び１０６ｅ３により、領域１０６ｅ１は、付箋画像切出手段１０７により縦２分割、横２分割にされる。
【００６２】
また、図７（ｈ）に示す例は、縦２列に２枚が隙間なく並べられて当該２枚のそれぞれの横の辺に接するように１枚が隙間なく並べられたられた計３枚の付箋１０６ｆであり、矩形切出手段１０４により「ト」の字形状の領域１０６ｆ１として切り出されているため、図７（ｉ）に示すように利用者は３枚の付箋の１０６ｆの境目に補助線１０６ｆ２及び１０６ｆ３を入力する。補助線１０６ｆ２及び１０６ｆ３により、領域１０６ｆ１は、図７（ｊ）に示すように、付箋画像切出手段１０７により領域１０６ｆ４−１０６ｄ７分割にされる。なお、領域１０６ｄ７は、他の領域１０６ｆ４−１０６ｄ６に比べて面積が小さいため付箋画像情報１１３を切り出すための領域としては認識しない。
【００６３】
なお、具体的に以下に説明する方法で、上記領域１０６ｄ７を、付箋画像情報１１３を切り出すための領域としては認識しないようにする。まず、領域１０６ｆ４−１０６ｄ７の面積のヒストグラムを作成し、中心値Ｓｃｅｎｔｅｒを求めて、中心値Ｓｃｅｎｔｅｒに対し定数αｍｉｎ及びαｍａｘを乗じたものをそれぞれ最小値Ｓｍｉｎ及び最大値Ｓｍａｘとする。領域１０６ｆ４−１０６ｄ７の面積Ｓ４−Ｓ７のうち、Ｓｍｉｎ＜Ｓｉ＜Ｓｍａｘを満足しない領域を、付箋画像情報１１３を切り出すための領域としては認識しないものとする。また、定数αｍｉｎ及びαｍａｘは、管理者が任意に決定可能であり、定数αｍｉｎは１．０未満、αｍａｘは１．０より大きいものとする。
【００６４】
また、予め定められた最大値及び最小値により定義される面積の範囲内に含まれない領域を、付箋画像情報１１３を切り出すための領域としては認識しないものとしてもよい。
【００６５】
［他の実施の形態］
なお、本発明は、上記実施の形態に限定されず、本発明の趣旨を逸脱しない範囲で種々な変形が可能である。例えば、ピンクの付箋画像情報１１３ｐ１−１１３ｐ３、黄色の付箋画像情報１１３ｙ１−１１３ｙ５、水色の付箋画像情報１１３ｂ１−１１３ｂ４のそれぞれに対し、対応する付箋のホワイトボード３の書き込み面に対する相対的な位置情報、傾き情報、オリジナル画像の撮影日時などを付随情報として記録してもよい。
【００６６】
上記実施の形態では制御部１０の各手段１００〜１０７の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００６７】
１     画像処理装置
２     付箋
３     ホワイトボード
４     利用者
１０   制御部
１１   記憶部
１２   表示部
１３   操作部
１４   通信部
１５   撮像部
１００ 画像情報取得手段
１０１ 色空間変換手段
１０２ 色抽出手段
１０３ ２値化手段
１０４ 矩形切出手段
１０５ 閾値決定手段
１０６ 補助線入力受付手段
１０６ａ      切出プレビュー画面
１０６ａ１    メッセージ
１０６ａ２    決定ボタン
１０６ａ３    切出候補
１０６ａ４    補助線
１０６ａ５    指先
１０７ 付箋画像切出手段
１０７ａ      矩形領域
１１０ 画像処理プログラム
１１１ 画像情報
１１２ 閾値情報
１１３ 付箋画像情報
【図１】
2015075926.tif 000003
【図２】
2015075926.tif 000004
【図８】
2015075926.tif 000005
【図３】
2015075926.tif 000006
【図４】
2015075926.tif 000007
【図５】
2015075926.tif 000008
【図６】
2015075926.tif 000009
【図７】
2015075926.tif 000010